(57)【要約】【目的】押圧面の押圧状態の変化に起因したアーティファクトの影響が少ない圧脈波を得ることができる圧脈波検出装置を提供する。【解決手段】押圧面に複数の圧力検出素子Ｅを備え、押圧面が皮膚上から所定の動脈に向かって押圧させられて、圧力検出素子Ｅにより動脈からの圧脈波を検出する圧脈波検出プローブを有する圧脈波検出装置において、複数の圧力検出素子のうち、動脈の上部に位置する複数の圧力検出素子を適切位置素子に決定する適切位置素子決定手段５０と、適切位置素子からそれぞれ検出された圧脈波を平均して平均圧脈波を決定する平均圧脈波決定手段５２と、その平均圧脈波と、前記複数の適切位置素子により検出された圧脈波との相関係数を適切位置素子毎に算出する相関係数算出手段５４と、複数の適切位置素子から検出された複数の圧脈波から、相関係数が予め定められた所定値よりも小さい圧脈波を除去する除去手段５６を備える。【選択図】                        図６
2004321254.tif 000002
【特許請求の範囲】
【請求項１】
押圧面に複数の圧力検出素子を備え、該押圧面が生体の皮膚上から所定の動脈に向かって押圧させられて、該圧力検出素子により該動脈からの圧脈波を検出する圧脈波検出プローブを有する圧脈波検出装置であって、
前記複数の圧力検出素子のうち、前記動脈の上部に位置する複数の圧力検出素子を適切位置素子に決定する適切位置素子決定手段と、
該適切位置素子決定手段により決定された適切位置素子からそれぞれ検出された圧脈波を平均して平均圧脈波を決定する平均圧脈波決定手段と、
該平均圧脈波決定手段により決定された平均圧脈波と、前記複数の適切位置素子により検出された圧脈波との相関係数を適切位置素子毎に算出する相関係数算出手段と、
前記複数の適切位置素子から検出された複数の圧脈波から、前記相関係数算出手段により算出された相関係数が予め定められた所定値よりも小さい圧脈波を除去する除去手段と
を含むことを特徴とする圧脈波検出装置。
【請求項２】
前記圧脈波検出プローブが、測定時に手に保持される型式であることを特徴とする請求項１に記載の圧脈波検出装置。
【発明の詳細な説明】
【０００１】
【発明の属する技術分野】
本発明は、押圧面に備えられている複数の圧力検出素子により動脈からの脈波を検出する圧脈波検出プローブを有する圧脈波検出装置に関する。
【０００２】
【従来の技術】
押圧面に複数の圧力検出素子を備え、その押圧面を生体の所定部位において皮膚上から動脈に向かって押圧し、上記複数の圧力検出素子により動脈からの脈波を検出する圧脈波検出プローブを有する圧脈波検出装置が知られている（たとえば、特許文献１参照）。圧脈波は、血圧の連続的な決定や、生体内を脈波が伝播する速度すなわち脈波伝播速度の算出などに利用され、特許文献１に記載されている装置では、圧脈波の大きさに基づいて、血圧を連続的に決定している。
【０００３】
上記特許文献１に記載されている装置では、圧脈波検出プローブは手首にバンドにより装着され、押圧面に備えられている複数の圧力検出素子からそれぞれ検出される圧脈波の大きさの比較に基づいて、押圧面の最適位置を自動的に決定し、続いて、その押圧面の押圧力を連続的に変化させ、その押圧力の変化過程で、圧力検出素子により検出される脈波の大きさに基づいて押圧面の最適押圧力を自動的に決定している。
【０００４】
また、特許文献１に記載されている圧脈波検出プローブとは異なり、人が手に保持して押圧位置および押圧力を調整する型式の圧脈波検出プローブも知られている。手に保持する型式の圧脈波検出プローブは、自動的に押圧位置および押圧力が制御される型式の圧脈波検出プローブに比べて、装着および測定が簡便である。
【０００５】
【特許文献１】
特開平１１−１９０５４号公報
【０００６】
【発明が解決しようとする課題】
圧脈波検出プローブの押圧面に備えられた圧力検出素子により表皮上から圧脈波を検出する場合、測定中に、体表面に対する押圧面の押圧状態（押圧面と体表面との接触面積や、押圧面の圧力分布）が変化すると、検出される圧脈波に、その押圧状態の変化に起因するアーティファクトが混入する場合があるという問題がある。装着バンドにより固定される型式の圧脈波検出プローブの場合にも、装着部位（たとえば手首）が動くことにより、押圧面の押圧状態が変化することがあるので、このアーティファクトの問題は生じるが、手に保持して測定する型式の圧脈波検出プローブの場合には、測定中に押圧面の押圧状態を維持することが困難であるので、特に、このアーティファクトの問題が大きい。
【０００７】
本発明は以上の事情を背景として為されたもので、その目的とするところは、圧脈波検出プローブの押圧面の押圧状態の変化に起因したアーティファクトの影響が少ない圧脈波を得ることができる圧脈波検出装置を提供することにある。
【０００８】
【課題を解決するための手段】
上記目的を達成するための本発明は、押圧面に複数の圧力検出素子を備え、その押圧面が生体の皮膚上から所定の動脈に向かって押圧させられて、その圧力検出素子によりその動脈からの圧脈波を検出する圧脈波検出プローブを有する圧脈波検出装置であって、前記複数の圧力検出素子のうち、前記動脈の上部に位置する複数の圧力検出素子を適切位置素子に決定する適切位置素子決定手段と、その適切位置素子決定手段により決定された適切位置素子からそれぞれ検出された圧脈波を平均して平均圧脈波を決定する平均圧脈波決定手段と、その平均圧脈波決定手段により決定された平均圧脈波と、前記複数の適切位置素子により検出された圧脈波との相関係数を適切位置素子毎に算出する相関係数算出手段と、前記複数の適切位置素子から検出された複数の圧脈波から、前記相関係数算出手段により算出された相関係数が予め定められた所定値よりも小さい圧脈波を除去する除去手段とを含むことを特徴とする。
【０００９】
【発明の効果】
複数の適切位置素子により検出される複数の圧脈波は、一部の圧脈波に、体表面に対する押圧面の押圧状態が変化することによるアーティファクトが混入しているとしても、他の多数の圧脈波はそのアーティファクトが混入していない正確な形状の圧脈波と考えられるので、平均圧脈波決定手段によって、複数の適切位置素子により検出された複数の圧脈波が平均されて決定された平均圧脈波は、比較的正確な形状の圧脈波であると言える。そして、相関係数算出手段では、その比較的正確な形状の圧脈波である平均圧脈波と、適切位置素子により検出された圧脈波との相関係数が適切位置素子毎に算出される。この相関係数は、平均圧脈波が比較的正確な形状の圧脈波であることから、適切位置素子により検出された圧脈波にアーティファクトが混入している場合は相関係数が小さく、アーティファクトが混入していない場合は相関係数が大きくなる。従って、除去手段により、相関係数が予め定められた所定値よりも小さい圧脈波を除去することにより、アーティファクトの混入した圧脈波を除去することができるので、除去されていない残りの圧脈波のうちのいずれか一つを選択したり、残りの圧脈波を平均するなどして、アーティファクトの影響の少ない正確な形状の圧脈波を得ることができる。
【００１０】
【発明の他の態様】
ここで、好ましくは、前記圧脈波検出プローブは、測定時に手に保持される型式である。測定時に手に保持される型式の圧脈波検出プローブは、測定時に押圧面の押圧状態が変化しやすいことから、その変化によるアーティファクトが混入しやすいので、前述のようにしてアーティファクトの混入した圧脈波を除去する意義が大きい。
【００１１】
【発明の好適な実施の形態】
以下、本発明の好適な実施の形態について図面を参照しつつ詳細に説明する。
【００１２】
図１は、本発明の一実施例の圧脈波検出装置に備えられた圧脈波検出プローブ１０を示す斜視図である。図１の圧脈波検出プローブ１０は、平面形状が略正方形状であって比較的細長い直方体形状の把持部１２と、その把持部１２の下面においてその把持部１２に一体的に固定されているセンサ部１４とを有し、把持部１２の上面１６に表示器１８が設けられている。
【００１３】
センサ部１４の下面は上記把持部１２の上面１６に平行であり、このセンサ部１４の下面が、生体に向かって押圧させられる押圧面２０である。押圧面２０は、単結晶シリコンなどから成る半導体チップによって形成されている。押圧面２０には、その押圧面２０の平面図である図２に示すように、多数の半導体感圧素子（すなわち圧力検出素子）Ｅが二次元格子状に一定の間隔で配列されている。図２に示すように、本実施例では、ｘ軸方向に１５個の圧力検出素子Ｅが一定の間隔で配列され、そのｘ軸に直交するｙ軸方向にも１５個の圧力検出素子Ｅが一定の間隔で配列されており、圧力検出素子Ｅの配列形状は、全体として正方形状となっている。なお、かっこ内の２つの数字は、左上隅を基準とした各圧力検出素子Ｅのｘ軸方向およびｙ軸方向の位置を示している。
【００１４】
図３は、前記表示器１８の拡大図である。表示器１８には、センサ部１４の押圧面２０に設けられた圧力検出素子Ｅの配列形状に対応して、複数の発光装置Ｄが正方形状に格子状に二次元的に配列されている。すなわち、表示器１８には、ｘ軸方向およびｙ軸方向にそれぞれ１５個の発光装置Ｄが配置されている。
【００１５】
この発光装置Ｄは、互いに異なる色を発光する図示しない複数（たとえば３つ）の発光ダイオードが収められることにより、複数の色を表示することができるようにされたものであり、各発光素子Ｄは、かっこ内の数字が対応する圧力検出素子Ｅにより逐次検出される圧力の大きさの適否を、発光色を変化させることにより表示する。たとえば、発光素子Ｄは、３色の色を発光できるように構成されており、それぞれ、圧力が適切である場合に表示される色、圧力がやや不足している場合に表示される色、圧力が比較的大きく不足している場合に表示される色が予め決定されており、その発光素子Ｄと対応させられている圧力検出素子Ｅにより検出される圧力の大きさに基づいて、発光素子Ｄ内に備えられたいずれかの発光ダイオードが発光させられるように構成されている。なお、各発光素子Ｄに対応させられる圧力検出素子Ｅは、図１に示すように、上方向または下方向から表示器１８および押圧面２０を見た場合に、押圧面２０における位置が、表示器１８におけるその発光素子Ｄの位置と同じとなる圧力検出素子Ｅとされている。
【００１６】
図１に示すように、圧脈波検出プローブ１０には、さらに、把持部１２の側面に、圧脈波検出プローブ１０の押圧位置および押圧力が適切であると判断して、診断のための脈波を採取する際に操作する信号採取ボタン２４、および、この圧脈波検出プローブ１０により検出された信号を図５に示す本体部３２へ供給するためのコード２６が設けられている。
【００１７】
図４は、図示しない測定者の手に保持されることにより、圧脈波検出プローブ１０の押圧面２０が、患者の手首２８の皮膚上から図示しない橈骨動脈に向かって押圧させられている状態を示す図である。この圧脈波検出プローブ１０により橈骨動脈波を検出する場合、表示器１８の発光素子Ｄにより表示される各圧力検出素子Ｅの押圧力を見ながら、圧脈波検出プローブ１０の押圧位置や押圧力を調整する。
【００１８】
図５は、上記圧脈波検出プローブ１０を有する圧脈波検出装置３０の装置構成を示すブロック図である。圧脈波検出プローブ１０に備えられている複数の圧力検出素子Ｅからは圧脈波信号ＳＭがそれぞれ出力され、圧脈波信号ＳＭは、圧脈波検出装置３０の本体部３２内に収容されたマルチプレクサ３４に供給される。
【００１９】
マルチプレクサ３４は、電子制御装置３６からの切替信号ＳＣに従って、複数の圧力検出素子Ｅからそれぞれ供給される圧脈波信号ＳＭを、所定の時間ずつ順次、増幅器３８へ出力する。増幅器３８に供給された圧脈波信号ＳＭはＡ／Ｄ変換器４０を介して電子制御装置３６へ供給される。
【００２０】
電子制御装置３６は、ＣＰＵ４２、ＲＯＭ４４、およびＲＡＭ４６などを備えた所謂マイクロコンピュータである。ＣＰＵ４２は、ＲＯＭ４４に記憶されたプログラムに従いつつＲＡＭ４６の記憶機能を利用して信号処理を実行することにより、所定の周期で切替信号ＳＣを出力するとともに、圧脈波信号ＳＭを逐次読み込み、その読み込んだ圧脈波信号ＳＭに基づいて、各圧力検出素子Ｅにより検出される圧力の大きさを決定し、その圧力の大きさを表示させるための表示制御信号を圧脈波検出プローブ１０の表示器１８に出力する。
【００２１】
表示制御信号が圧脈波検出プローブ１０に出力されると、表示器１８に各圧力検出素子Ｅの押圧力が表示されるので、表示器１８の表示内容を見ながら、測定者は、手に持っている圧脈波検出プローブ１０の押圧位置および押圧力を調整する。そして、押圧位置および押圧力が適切な状態となったと判断したら、信号採取ボタン２４を押す。信号採取ボタン２４が押されると、診断のための脈波採取の開始を指示する信号が電子制御装置３６へ出力される。
【００２２】
診断のための脈波を採取しているときは、アーティファクトが入ることを防止するために、押圧面２０の押圧状態が変化しないことが望ましいが、本実施例のように、手に保持する型式の圧脈波検出プローブ１０の場合、圧脈波検出プローブ１０が押圧面２０を支点として、たとえば図４の矢印に示す方向や図示しない他の方向などに、回動しやすい。また、手首２８も固定されていないので、測定中に手首２８が動くこともある。圧脈波検出プローブ１０が押圧面２０を支点として回動したり、手首２８が動いたりすると、体表面に対する押圧面２０の押圧状態が変化して、それに起因するアーティファクトが混入する可能性がある。
【００２３】
しかし、この圧脈波検出装置３０の電子制御装置３６には、アーティファクトが混入した圧脈波信号ＳＭを除去する機能を備えている。図６は、アーティファクトが混入した圧脈波信号ＳＭを除去する機能の要部を説明する機能ブロック線図である。
【００２４】
図６において、適切位置素子決定手段５０は、圧脈波検出プローブ１０の押圧面２０に備えられた複数の圧力検出素子Ｅから供給される圧脈波信号ＳＭ（すなわち圧脈波）の振幅に基づいて、それら複数の圧力検出素子Ｅから、橈骨動脈の真上に位置する圧力検出素子（以下、この圧力検出素子Ｅを適切位置素子ＥＡという）を複数決定する。すなわち、橈骨動脈の真上に位置する圧力検出素子Ｅから出力される圧脈波信号ＳＭは、橈骨動脈上に位置しない圧力検出素子Ｅから出力される圧脈波信号ＳＭの振幅よりも大きくなるので、適切位置素子５０は、各圧力検出素子Ｅから出力される圧脈波信号ＳＭの振幅から最大振幅を決定し、その最大振幅の所定割合（たとえば９０％）以上の振幅を検出した圧力検出素子Ｅを適切位置素子ＥＡに決定する。図７は、この適切位置素子決定手段５０により決定された複数の適切位置素子ＥＡの一例を示す図であり、塗りつぶされている圧力検出素子Ｅが適切位置素子ＥＡに決定されている。
【００２５】
平均圧脈波決定手段５２は、上記適切位置素子決定手段５０により決定された複数の適切位置素子ＥＡからそれぞれ出力される圧脈波信号ＳＭ（すなわち橈骨動脈波）を、予め設定された所定区間分平均して、平均圧脈波を決定する。ここで、上記所定区間は、一拍分とされるが、たとえば一拍分の１０分の１の区間など、一拍分よりも短くてもよいし、逆に、一拍分よりも長い区間に設定されてもよい。
【００２６】
相関係数算出手段５４は、上記平均圧脈波決定手段５２により決定された平均圧脈波と、適切位置素子決定手段５０により決定された各適切位置素子ＥＡによりそれぞれ検出される橈骨動脈波との相関係数ｒを適切位置素子ＥＡ毎に算出する。
【００２７】
除去手段５６は、適切位置素子決定手段５０により決定された複数の適切位置素子ＥＡによりそれぞれ検出された複数の橈骨動脈波から、相関係数算出手段５４により算出された相関係数ｒが予め定められた所定値よりも小さい橈骨動脈波を除去することにより、アーティファクトの混入した橈骨動脈波を除去する。
【００２８】
ここで、相関係数ｒに基づいてアーティファクトの混入した橈骨動脈波が除去できる理由を説明する。上記相関係数ｒの算出に用いる平均圧脈波は、複数の適切位置素子ＥＡにより検出された橈骨動脈波の平均であり、圧脈波検出プローブ１０が押圧面２０を支点として回動すること等により、手首２８の体表面に対する押圧面２０の押圧状態が変化した場合でも、一部の適切位置素子ＥＡにより検出される橈骨動脈波にはアーティファクトが混入するが、他の多数の適切位置素子ＥＡにより検出される橈骨動脈波にはアーティファクトは混入しないと考えられるので、それら複数の適切位置素子ＥＡにより検出されるすべての橈骨動脈波を平均した平均圧脈波は、比較的正確な形状であると考えられる。上記相関係数ｒは、この比較的正確な形状の平均圧脈波を用いて算出するので、アーティファクトが混入していない橈骨動脈波の相関係数ｒは１に近い値となるが、アーティファクトが混入しているとそれよりもずっと小さい値となる。従って、相関係数ｒに基づいてアーティファクトの混入した橈骨動脈波が除去でき、また、上記所定値は、１よりも小さい範囲で１に近い値（たとえば０．９）に設定される。
【００２９】
診断用圧脈波決定手段５８は、複数の適切位置素子ＥＡにより検出された複数の橈骨動脈波から、除去手段５６によりアーティファクトが混入した橈骨動脈波が除去された後の複数の橈骨動脈波（以下、この脈波を正常圧脈波という）に基づいて、診断に用いるための脈波すなわち診断用圧脈波を決定する。本実施例では、複数の正常圧脈波を平均することにより、脈波伝播速度など、診断用の生体情報を決定するための診断用圧脈波を決定する。このようにして決定した診断用圧脈波は、前記平均圧脈波決定手段５２により算出された平均圧脈波よりもさらにアーティファクトの影響の少ない脈波となる。
【００３０】
図８は、図６に示した電子制御装置３６の制御機能の要部を示すフローチャートである。このフローチャートは、図示しない測定開始ボタンが操作されることにより開始されるようになっており、測定開始ボタンが操作されると、このフローチャートの実行とともに、押圧面１８に備えられている各圧力検出素子Ｅから供給される圧脈波信号ＳＭに基づいて、表示器１８の各発光素子Ｄに各圧力検出素子Ｅの押圧力の適否が表示される。
【００３１】
図８において、ステップ（以下、ステップを省略する）Ｓ１では、信号採取ボタン２４が押されたか否かを判断する。このフローチャートを実行している間は、同時に、表示器１８の各発光素子Ｄに各圧力検出素子Ｅの押圧力の適否が表示されるので、測定者は表示器１８を見ながら圧脈波検出プローブ１０の位置および押圧力を調整し、適切な押圧位置および押圧力となったと判断した時点で、信号採取ボタン２４を押す。
【００３２】
圧脈波検出プローブ１０の押圧位置または押圧力がまだ適切ではなく、信号採取ボタン２４が押されない場合にはＳ１の判断が否定され、この場合には、Ｓ１の判断を繰り返し実行する。一方、圧脈波検出プローブ１０の押圧位置および押圧力が適切となって信号採取ボタン２４が押された場合にはＳ１の判断が肯定される。この場合にはＳ２以降を実行する。
【００３３】
Ｓ２では、所定のサンプリング周期毎に、各圧力検出素子Ｅから供給される圧脈波信号ＳＭを読み込み、続くＳ３では、Ｓ２において各圧力検出素子Ｅからそれぞれ一拍分の圧脈波信号ＳＭを読み込んだか否かを判断する。このＳ３の判断が否定された場合には、Ｓ２を再度実行することにより、圧脈波信号ＳＭの読み込みを継続する。
【００３４】
一方、Ｓ３の判断が肯定された場合には、適切位置素子決定手段５０に相当するＳ４乃至Ｓ５を実行する。すなわち、Ｓ４では、圧力検出素子Ｅ毎に、Ｓ２乃至Ｓ３の繰り返しにより読み込んだ一拍分の圧脈波信号ＳＭの振幅（すなわち最大値と最小値の差）を決定し、続くＳ５では、Ｓ４で決定した振幅のうち最大振幅を決定するとともに、その最大振幅の所定割合（たとえば９０％）以上の振幅を検出した複数の圧力検出素子Ｅを適切位置素子ＥＡに決定する。
【００３５】
続くＳ６は平均圧脈波決定手段５２に相当し、上記Ｓ５で決定した複数の適切位置素子ＥＡによりそれぞれ検出された複数の橈骨動脈波を平均して、平均圧脈波を決定する。
【００３６】
続くＳ７は相関係数算出手段５４に相当し、上記Ｓ６で決定した平均圧脈波と、前記Ｓ５で決定した複数の適切位置素子ＥＡにより検出された橈骨動脈波との間の相関係数ｒを、適切位置素子ＥＡ毎に算出する。
【００３７】
続くＳ８は除去手段５６に相当し、前記Ｓ５で決定した複数の適切位置素子ＥＡによりそれぞれ検出された複数の橈骨動脈波から、上記Ｓ７で算出した相関係数ｒが、たとえば０．９に設定された所定値よりも小さいものを除去し、残りの橈骨動脈波を正常圧脈波に決定する。
【００３８】
そして、続く診断用圧脈波決定手段５８に相当するＳ９では、上記Ｓ８で決定した複数の正常圧脈波を平均して診断用圧脈波を決定する。
【００３９】
上述のように、本実施例によれば、平均圧脈波決定手段５２（Ｓ６）により、複数の適切位置素子ＥＡにより検出された複数の橈骨動脈波が平均されて、比較的正確な形状の平均圧脈波が決定され、相関係数算出手段５４（Ｓ７）により、その比較的正確な形状の平均圧脈波と、適切位置素子ＥＡにより検出された橈骨動脈波との相関係数ｒが適切位置素子ＥＡ毎に算出され、除去手段５６（Ｓ８）により、相関係数ｒが予め定められた所定値よりも小さい橈骨動脈波が除去されることにより、アーティファクトの混入した橈骨動脈波が除去される。そして、診断用圧脈波決定手段５８（Ｓ９）により、除去されていない残りの橈骨動脈波が平均されて診断用圧脈波が決定されるので、アーティファクトの影響の少ない正確な形状の圧脈波を得ることができる。
【００４０】
また、上述の実施例は、圧脈波検出プローブ１０が測定時に手に保持される型式であり、この型式の圧脈波検出プローブ１０は測定時に押圧面２０の押圧状態が変化しやすいことから、その変化によるアーティファクトが混入しやすいので、上述のようにしてアーティファクトの混入した橈骨動脈波を除去する意義が大きい。
【００４１】
以上、本発明の一実施例を図面に基づいて説明したが、本発明は他の態様においても適用される。
【００４２】
たとえば、前述の実施例の圧脈波検出プローブ１０は、測定時に手に保持する型式であったが、バンドやクリップなどで生体に装着される型式であってもよい。また、その場合、圧脈波検出プローブの押圧位置および押圧力は、前述の特許文献１のように自動的に制御されるようになっていてもよいし、測定者が手で直接調節するようになっていてもよい。
【００４３】
また、前述の実施例では、圧力検出素子は二次元的に配列されていたが、一次元的すなわち直線的に配列されていてもよい。
【００４４】
また、前述の実施例の診断用圧脈波決定手段５８では、複数の正常圧脈波を平均することにより診断用圧脈波を決定していたが、正常圧脈波はいずれもアーティファクトの混入が少ない脈波であるので、振幅が最も大きい正常圧脈波や配列の中心に位置する正常圧脈波など、複数の正常圧脈波からいずれか一つの脈波を診断用圧脈波に決定してもよい。
【００４５】
また、前述の実施例では、圧脈波検出プローブ１０の押圧面２０は手首２８において橈骨動脈に向かって押圧させられていたが、押圧部位は前述の実施例に限定されず、たとえば、頸部において頸動脈に向かって押圧されてもよい。
【００４６】
また、前述の実施例では、平均圧脈波は、複数の適切位置素子ＥＡによりそれぞれ検出された複数の橈骨動脈波を直接平均していたが、複数の橈骨動脈波の振幅を正規化し、その正規化後の複数の橈骨動脈波を平均してもよい。また、相関係数ｒも、平均圧脈波と振幅を正規化した各橈骨動脈波との間で算出してもよい。
【００４７】
以上、本発明の実施例を図面に基づいて詳細に説明したが、これはあくまでも一実施形態であり、本発明は当業者の知識に基づいて種々の変更、改良を加えた態様で実施することができる。
【図面の簡単な説明】
【図１】本発明の一実施例の圧脈波検出装置に備えられた圧脈波検出プローブを示す斜視図である。
【図２】図１の圧脈波検出プローブの押圧面の平面図である。
【図３】図１の圧脈波検出プローブに設けられた表示器を拡大して示す図である。
【図４】図示しない測定者の手に保持されることにより、圧脈波検出プローブの押圧面が患者の手首の皮膚上から橈骨動脈に向かって押圧させられている状態を示す図である。
【図５】図１の圧脈波検出プローブを有する圧脈波検出装置の装置構成を示すブロック図である。
【図６】図５の電子制御装置の制御機能のうち、アーティファクトが混入した圧脈波信号ＳＭを除去する機能の要部を説明する機能ブロック線図である。
【図７】図６の適切位置素子決定手段により決定された複数の適切位置素子ＥＡの一例を示す図である。
【図８】図６に示した電子制御装置の制御機能の要部を示すフローチャートである。
【符号の説明】
１０：圧脈波検出プローブ
２０：押圧面
３０：圧脈波検出装置
５０：適切位置素子決定手段
５２：平均圧脈波決定手段
５４：相関係数算出手段
５６：除去手段
Ｅ：圧力検出素子
【図１】
2004321254.tif 000003
【図２】
2004321254.tif 000004
【図３】
2004321254.tif 000005
【図４】
2004321254.tif 000006
【図５】
2004321254.tif 000007
【図６】
2004321254.tif 000008
【図７】
2004321254.tif 000009
【図８】
2004321254.tif 000010